(57)【要約】　　　（修正有）【課題】従来使用されていたモードスイッチを抹消することができてコストダウンを図れ、従来のようにデッキと基板を嵌合させるときの位置決めを行わなくてよくて、作業性を改善することができる磁気テープ装置を提供する。【解決手段】往復移動可能なモード切換レバーが設けられ、その端部にラックが形成されていて、このラックに対向して回転カムに同心状に配置した円形カム４の外周縁に歯部と円弧面とが所定角度ずつ連続的に形成されていて、円形カム４の下側に配置された基板５の上面に、モードスイッチの下側を構成する複数のジャンパー線６を取付け、モードスイッチの上側を構成するためにデッキ側のモードギヤ７の上面に円板を設け、円板の上面に板バネ８が斜め向きに取り付けられ、モードギヤ７が回転されて、板バネ８が基板５の上面のジャンパー線６に接触して、各モードの電圧を検出するようにした。【選択図】　図１
2004103068.tif 000002
【特許請求の範囲】
【請求項１】
往復移動可能なモード切換レバーが設けられ、その端部にラックが形成されていて、このラックに対向して回転カムに同心状に配置した円形カムの外周縁に歯部と円弧面とが所定角度ずつ連続的に形成されている磁気テープ装置において、この円形カムの下側に配置された基板の上面に、モードスイッチの下側を構成する複数のジャンパー線が取付られ、モードスイッチの上側を構成するためにデッキ側のモードギヤの上面に円板部が設けられ、この円板部の上面に板バネが斜め向きに取り付けられていて、前記モードギヤが回転されて、前記板バネが前記基板の上面のジャンパー線に接触することによって、各モードの電圧を検出するように構成したことを特徴とする磁気テープ装置。
【請求項２】
往復移動可能なモード切換レバーが設けられ、その端部にラックが形成されていて、このラックに対向して回転カムに同心状に配置した円形カムの外周縁に歯部と円弧面とが所定角度ずつ連続的に形成されている磁気テープ装置において、この円形カムの下側に配置された基板の上面に、モードスイッチの下側を構成する複数のジャンパー線が取付られ、モードスイッチの上側を構成するためにデッキ側のモードギヤの中心部に長軸を立てた状態で、この長軸の根元部分に前記円形カムが配置され、この上側にスプリングが配設されていて、その上側に、上面に前記基板の上面のジャンパー線に接触される複数の金属板が埋め込まれ、更に下面の周縁の四方箇所に下向きにボスが垂下されている円板が配設されて、前記円形カムには、前記ボスに対向する箇所にこのボスが入り込む穴が四方箇所に設けられていることを特徴とする磁気テープ装置。
【請求項３】
往復移動可能なモード切換レバーが設けられ、その端部にラックが形成されていて、このラックに対向して回転カムに同心状に配置した円形カムの外周縁に歯部と円弧面とが所定角度ずつ連続的に形成されている磁気テープ装置において、この円形カムの下側に配置された基板の上面に、モードスイッチの下側を構成する複数のジャンパー線が取付られ、前記モードスイッチの上側を構成するデッキ側のモードギヤの上側に、前記基板の上面のジャンパー線に接触する接触片が配設され、更にこの接触片が上向きに付勢されていることを特徴とする磁気テープ装置。
【請求項４】
前記接触片は、前記モードギヤの上面に斜め向きに取り付けられた板バネからなることを特徴とする請求項３に記載の磁気テープ装置。
【請求項５】
前記接触片は、前記モードギヤの上側で上向きに弾性体で付勢された円板の上面に取付られた複数の金属板からなることを特徴とする請求項３に記載の磁気テープ装置。
【請求項６】
前記円板は、抜き基板で構成されていることを特徴とする請求項５に記載の磁気テープ装置。
【発明の詳細な説明】
【０００１】
【発明の属する技術分野】
本発明は、往復移動可能なモード切換レバーが設けられ、その端部にラックが形成されていて、このラックに対向して回転カムに同心状に配置した円形カムの外周縁に歯部と円弧面とが所定角度ずつ連続的に形成されている磁気テープ装置に関する。
【０００２】
【従来の技術】
従来のこの種の磁気テープとしては、例えば、図５に示すように、基板１０１と、この基板１０１に取り付けられ、モードスイッチ１０２の下側を構成し、中心部に嵌め合い穴１０３が形成されるとともに上面に複数の円弧状の複数のパターン１０４が形成され、複数の端子１０５が下向きに取付られた平面視円形状の下部材１０６と、モードスイッチ１０２の上側を構成し、下面の中心部分に嵌め合いリブ（図示略）が下向きに突設され、下面に上記した下部材１０６のパターン面１０４に接して、その接する位置によって各モードの電圧を検出するため板バネ状の接片１０８が取り付けられ、周縁に全体を回転操作するための上向き突部１０９が設けられた上部材１１０とを有していて、この上部材１１０の嵌め合いリブ１０７を下部材１０６の嵌め合い穴１０３に嵌め合わせ、下部材１０６の複数の端子を基板１０１に取り付けることによって、基板１０１上に下部材１０６と上部材１１０とを取り付けて、上部材１１０の上向き突部１０９を指で掴んで回転させることによって、上部材１１０の板バネ状の接片１０８が下部材１０６の複数のパターン１０４のどれに接するかによって、各モードの電圧を検出することができるようになっている。
ところが、これにおいては、基板１０１と下部材１０４及び上部材１１０が別体になっているものである。
【０００３】
また、特開２０００−７６７３８号公報には、ビデオデッキが記載されている。
これは、図６（ａ）（ｂ）、図７に示すように、主基板２３０に形成されたモード検出回路２３８が、シャーシ２２０に配置される回転板２２１に形成された接触ブラシ２２１ｂと、主基板２３０に形成された基準端子２３１ａ及び接触端子２３１ｂ〜２３１ｇとの接触状況に基づいて回転板２２１の回転位置を検出するため、シャーシ２２０と主基板２３０との間をコネクタ等で接続する工程が必要なくなり、製造効率を向上させることが可能となるようにしたものである。
ところが、これにおいては、主基板２３０を、通常パターン面が下側にあるものをこのパターン面が上側になるようにしなくてはならなかった。
【０００４】
また、特開昭６２−１１７１５９号公報には、往復録音再生式テープレコーダーが記載されている。
これは、図８（ａ）（ｂ）に示すように、モード切換用モータ３０１により回転駆動される駆動ギヤ３０２のカム部３１４でヘッド支持基板（図示せず）を所定の動作モードに対応した複数の位置に設定する往復録音再生式テープレコーダーであって、モード切換用モータ３０１を往動作又は複動作に関連して反転させるようにし、駆動ギヤ３０２に第１及び第２作動部材３１７、３１８を設け、駆動ギヤ３０２の所定角度の正転により第１作動部材３１７にて作動される往録音レバー（図示略）及び駆動ギヤ３０２の所定角度の逆転により第２作動部材３１８にて作動される複録音レバー（図示略）を設けたものである。
ところが、これにおいては、プリント基板３１１がヘッド支持基板（図示略）とは別々になっているものである。
【０００５】
また、特開平４−６７４５３号公報には、磁気記録再生装置が記載されている。
これは、図９に示すように、駆動源４４１により駆動され、複数のモード位置にてモードの設定を行うモード設定部材４１０と、各モード位置に対応する接点４３１ａを有し、モード設定部材４１０と係合して駆動され、接点４３１ａにて各モード位置を検出するモード検出手段４３０とを有するモード検出機構を備えた磁気記録再生装置において、モード設定部材４１０とモード検出手段４３０との係合を間欠的に解除する係合解除手段４１０ｉを設けたものである。
ところが、これにおいて、部品点数が多くて構造が複雑であるという問題があった。
【０００６】
【発明が解決しようとする課題】
本発明は、上記従来の問題を解消し、且つ従来使用されていたモードスイッチを抹消することができてコストダウンを図れ、従来のようにデッキと基板を嵌合させるときの位置決めを行わなくてよくて、作業性を改善することができる磁気テープ装置を提供することを目的としている。
【０００７】
【課題を解決するための手段】
本発明は、上記課題を解決するために提案されたものであって、請求項１に記載の発明は、往復移動可能なモード切換レバーが設けられ、その端部にラックが形成されていて、このラックに対向して回転カムに同心状に配置した円形カムの外周縁に歯部と円弧面とが所定角度ずつ連続的に形成されている磁気テープ装置において、この円形カムの下側に配置された基板の上面に、モードスイッチの下側を構成する複数のジャンパー線が取付られ、モードスイッチの上側を構成するためにデッキ側のモードギヤの上面に円板部が設けられ、この円板部の上面に板バネが斜め向きに取り付けられていて、前記モードギヤが回転されて、前記板バネが前記基板の上面のジャンパー線に接触することによって、各モードの電圧を検出するように構成したことを特徴としている。
【０００８】
請求項２に記載の発明は、往復移動可能なモード切換レバーが設けられ、その端部にラックが形成されていて、このラックに対向して回転カムに同心状に配置した円形カムの外周縁に歯部と円弧面とが所定角度ずつ連続的に形成されている磁気テープ装置において、この円形カムの下側に配置された基板の上面に、モードスイッチの下側を構成する複数のジャンパー線が取付られ、モードスイッチの上側を構成するためにデッキ側のモードギヤの中心部に長軸を立てた状態で、この長軸の根元部分に前記円形カムが配置され、この上側にスプリングが配設されていて、その上側に、上面に前記基板の上面のジャンパー線に接触される複数の金属板が埋め込まれ、更に下面の周縁の四方箇所に下向きにボスが垂下されている円板が配設されて、前記円形カムには、前記ボスに対向する箇所にこのボスが入り込む穴が四方箇所に設けられていることを特徴としている。
【０００９】
請求項３に記載の発明は、往復移動可能なモード切換レバーが設けられ、その端部にラックが形成されていて、このラックに対向して回転カムに同心状に配置した円形カムの外周縁に歯部と円弧面とが所定角度ずつ連続的に形成されている磁気テープ装置において、この円形カムの下側に配置された基板の上面に、モードスイッチの下側を構成する複数のジャンパー線が取付られ、前記モードスイッチの上側を構成するデッキ側のモードギヤの上側に、前記基板の上面のジャンパー線に接触する接触片が配設され、更にこの接触片が上向きに付勢されていることを特徴としている。
請求項４に記載の発明は、前記接触片は、前記モードギヤの上面に斜め向きに取り付けられた板バネからなることを特徴としている。
【００１０】
請求項５に記載の発明は、前記接触片は、前記モードギヤの上側で上向きに弾性体で付勢された円板の上面に取付られた複数の金属板からなることを特徴としている。
請求項６に記載の発明は、前記円板は、抜き基板で構成されていることを特徴としている。
【００１１】
【発明の実施の形態】
以下、本発明に係る磁気テープ装置の実施の形態について、図を参照しつつ説明する。
図１は本発明の第１実施形態の磁気テープ装置を示し、（ａ）はその複数のジャンパー線が取付られた基板の上面を示す平面図、（ｂ）はそのデッキ側のモードギヤの平面図、（ｃ）はそのデッキ側のモードギヤの斜視図、図２は第１実施形態の磁気テープ装置の内部構造を構造図、図３は同装置の部分的に内部構造を示す構造図である。
【００１２】
第１実施形態の磁気テープ装置は、図２、図３に示すように、往復移動可能なモード切換レバー１がもうけられ、その端部にラック２が形成されていて、このラック２に対向して回転カム３に同心状に配置した円形カム４の外周縁に歯部４ａと円弧面４ｂとが所定角度ずつ連続的に形成されている。そして、図１（ａ）（ｂ）（ｃ）に示すように、この円形カム４の下側に配置された基板５の上面に、モードスイッチの下側を構成する複数のジャンパー線６が取付られ、モードスイッチの上側を構成するためにデッキ側のモードギヤ７の上面に軸部７ａを貫入して上記円形カム４が設けられ、この円形カム４の上面に板バネ８が斜め向きに取り付けられている。
そして、モードギヤ７が回転されて、板バネ８が基板５の上面のジャンパー線６に接触することによって、各モードの電圧を検出するようにしている。
【００１３】
したがって、この第１実施形態の磁気テープ装置によれば、従来使用されていたモードスイッチを抹消することができてコストダウンを図れ、従来のようにデッキと基板を嵌合させるときの位置決めを行わなくてよくて、作業性を改善することができる磁気テープ装置を提供することを目的としている。
【００１４】
図４は第２実施形態の磁気テープ装置を示し、（ａ）はそのデッキ側のモードギヤを示す斜視図、（ｂ）はその部分斜視図である。尚、上記した第１実施形態における同一部材、同一箇所には同一符号を付している。
この第２実施形態の磁気テープは、図４（ａ）（ｂ）に示すように、この円形カム４の下側に配置された基板５の上面に、モードスイッチのう下側を構成する複数のジャンパー線６（図１参照）が取付られ、モードスイッチの上側を構成するためにデッキ側のモードギヤ７の中心部に長軸９を立てた状態で、この長軸９の根元部分に上記した、円形カム４が配置され、この上側にスプリング１０が配設されていて、その上側に、上面に基板５の上面のジャンパー線６に接触される複数の金属板１１が埋め込まれ、更に下面の周縁の四方箇所に下向きにボス１２が垂下されている円板１３が配設されて、円形カム４には、ボス１２に対向する箇所にこのボス１２が入り込む穴４ｃが四方箇所に設けられている。
この第２実施形態の磁気テープ装置によれば、従来使用されていたモードスイッチを抹消することができてコストダウンを図れ、従来のようにデッキと基板を嵌合させるときの位置決めを行わなくてよくて、作業性を改善することができる。
【００１５】
【発明の効果】
以上説明したように、請求項１に記載の発明は、往復移動可能なモード切換レバーが設けられ、その端部にラックが形成されていて、このラックに対向して回転カムに同心状に配置した円形カムの外周縁に歯部と円弧面とが所定角度ずつ連続的に形成されている磁気テープ装置において、この円形カムの下側に配置された基板の上面に、モードスイッチの下側を構成する複数のジャンパー線が取付られ、モードスイッチの上側を構成するためにデッキ側のモードギヤの上面に円板部が設けられ、この円板部の上面に板バネが斜め向きに取り付けられていて、モードギヤが回転されて、板バネが基板の上面のジャンパー線に接触することによって、各モードの電圧を検出するように構成したので、以下に述べる効果を奏する。
【００１６】
即ち、従来使用されていたモードスイッチを抹消することができてコストダウンを図れ、従来のようにデッキと基板を嵌合させるときの位置決めを行わなくてよくて、作業性を改善することができる磁気テープ装置を提供することを目的としている。
また、板バネを複数のジャンパー線に当接するようになっているので、この板バネがジャンパー線に押し付けた状態で接して、導通状態を良好に保つことができる。
【００１７】
請求項２に記載の発明は、往復移動可能なモード切換レバーが設けられ、その端部にラックが形成されていて、このラックに対向して回転カムに同心状に配置した円形カムの外周縁に歯部と円弧面とが所定角度ずつ連続的に形成されている磁気テープ装置において、この円形カムの下側に配置された基板の上面に、モードスイッチの下側を構成する複数のジャンパー線が取付られ、モードスイッチの上側を構成するためにデッキ側のモードギヤの中心部に長軸を立てた状態で、この長軸の根元部分に円形カムが配置され、この上側にスプリングが配設されていて、その上側に、上面に基板の上面のジャンパー線に接触される複数の金属板が埋め込まれ、更に下面の周縁の四方箇所に下向きにボスが垂下されている円板が配設されて、円形カムには、ボスに対向する箇所にこのボスが入り込む穴が四方箇所に設けられているので、以下に述べる効果を奏する。
【００１８】
即ち、従来使用されていたモードスイッチを抹消することができてコストダウンを図れ、従来のようにデッキと基板を嵌合させるときの位置決めを行わなくてよくて、作業性を改善することができる磁気テープ装置を提供することを目的としている。
また、円板がスプリングで上向きに付勢されているので、この円板の複数の金属板が基板の上面のジャンパー線に押し当てられた状態で接触し、その導通状態を良好に保つことができる。
【００１９】
請求項３に記載の発明は、往復移動可能なモード切換レバーが設けられ、その端部にラックが形成されていて、このラックに対向して回転カムに同心状に配置した円形カムの外周縁に歯部と円弧面とが所定角度ずつ連続的に形成されている磁気テープ装置において、この円形カムの下側に配置された基板の上面に、モードスイッチの下側を構成する複数のジャンパー線が取付られ、モードスイッチの上側を構成するデッキ側のモードギヤの上側に、基板の上面のジャンパー線に接触する接触片が配設され、更にこの接触片が上向きに付勢されているので、以下に述べる効果を奏する。
即ち、従来使用されていたモードスイッチを抹消することができてコストダウンを図れ、従来のようにデッキと基板を嵌合させるときの位置決めを行わなくてよくて、作業性を改善することができる。
【００２０】
請求項４に記載の発明は、接触片は、モードギヤの上面に斜め向きに取り付けられた板バネからなるので、この板バネが簡単な部品であるから、コストダウンを図ることができる。
請求項５に記載の発明は、接触片は、モードギヤの上側で上向きに弾性体で付勢された円板の上面に取付られた複数の金属板からなるので、簡単な部品で構成することができて、コストダウンを図ることができる。
請求項６に記載の発明は、円板は、抜き基板で構成されているので、基板の一部を使用するだけでよくてコストダウンを図ることができる。
【図面の簡単な説明】
【図１】第１実施形態の磁気テープ装置を示し、（ａ）はその複数のジャンパー線が取付られた基板の上面を示す平面図、（ｂ）はそのデッキ側のモードギヤの平面図、（ｃ）はそのデッキ側のモードギヤの斜視図である。
【図２】第１実施形態の磁気テープ装置の内部構造を構造図である。
【図３】同装置の部分的に内部構造を示す構造図である。
【図４】第２実施形態の磁気テープ装置を示し、（ａ）はそのデッキ側のモードギヤを示す斜視図、（ｂ）はその部分斜視図である。
【図５】従来の磁気テープ装置を示し、（ａ）はその分解斜視図、（ｂ）はその組み付けた状態を示す斜視図である。
【図６】従来のビデオデッキを示し、（ａ）はそのビデオデッキに内蔵されたシャーシ及び主基板の概略構成を示す透視斜視図、（ｂ）はその回転板収容構造に形成された基準端子及び接触端子の接続状況を示す模式図である。
【図７】同ビデオデッキに内蔵されたシャーシ及び主基板の概略構成を示す分解斜視図である。
【図８】従来の往復録音再生式テープレコーダーを示し、（ａ）はその部分分解斜視図、（ｂ）はその導電パターンを説明するプリント基板の平面図である。
【図９】従来の磁気記録再生装置を示し、（ａ）はその平面図、（ｂ）はその分解斜視図である。
【符号の説明】
１　　　　　　モード切換レバー
２　　　　　　ラック
３　　　　　　回転カム
４　　　　　　円形カム
４ａ　　　　　歯部
４ｂ　　　　　円弧面
４ｃ　　　　　穴
５　　　　　　基板
６　　　　　　ジャンパー線
７　　　　　　モードギヤ
８　　　　　　板バネ
９　　　　　　長軸
１０　　　　　スプリング
１１　　　　　金属板
１２　　　　　ボス
１３　　　　　円板
【図１】
2004103068.tif 000003
【図２】
2004103068.tif 000004
【図３】
2004103068.tif 000005
【図４】
2004103068.tif 000006
【図５】
2004103068.tif 000007
【図６】
2004103068.tif 000008
【図７】
2004103068.tif 000009
【図８】
2004103068.tif 000010
【図９】
2004103068.tif 000011